(57)【要約】  【課題】ダミー本体を自動販売機のステージに確実に固定できるとともに、抜き差しが容易な構造を提供することを本発明の課題とする。  【解決手段】本発明は、商品名等の図が表示された弾性フィルム製のダミー本体と、該ダミー本体を支持して自動販売機に取り付ける支持体とからなる自動販売機用ダミーであって、前記支持体の上面には、前記ダミー本体の縁を差し込む溝と、差し込まれたダミー本体の縁を係止する係止手段とを備え、前記支持体の下面には、自動販売機のステージに固定するために係止構造が形成されている。ダミー本体の要部は、ほぼ半円柱状に形成され、支持体は、ほぼ半円状のプレートとを備え、前記プレートの上面にはダミー本体の下縁を差し込むための溝が形成されていることを特徴としている。ダミー本体の要部は、ほぼ半円柱状に変形可能なシートで形成され、支持体は、ほぼ半円状のプレートと、該プレートの角部に立設された２本の縦部材とを備え、前記縦部材の前面にはダミー本体の側縁を差し込むための溝が形成されている。【選択図】      図１
2006309520.tif 000002
【特許請求の範囲】
【請求項１】
商品名等の図が表示された弾性フィルム製のダミー本体と、該ダミー本体を支持して自動販売機に取り付ける支持体とからなる自動販売機用ダミーであって、
前記支持体の上面には、前記ダミー本体の縁を差し込む溝と、差し込まれたダミー本体の縁を係止する係止手段とを備え、
前記支持体の下面には、自動販売機のステージに固定するために係止構造が形成されていることを特徴とする自動販売機用ダミー。
【請求項２】
ダミー本体の要部は、ほぼ半円柱状に形成され、
支持体は、ほぼ半円状のプレートとを備え、
前記プレートの上面にはダミー本体の下縁を差し込むための溝が形成され
ていることを特徴とする請求項１に記載の自動販売機用ダミー。
【請求項３】
ダミー本体の要部は、ほぼ半円柱状に変形可能なシートで形成され、
支持体は、ほぼ半円状のプレートと、該プレートの角部に立設された２本の縦部材とを備え、
前記縦部材の前面にはダミー本体の側縁を差し込むための溝が形成され
ていることを特徴とする請求項１に記載の自動販売機用ダミー。
【請求項４】
ダミー本体の縁には、係止孔が形成され、
支持体の溝は、ダミー本体の前記縁を内側から支える内側凸条と、ダミー本体の縁を外側から支える外側凸条とを備え、
支持体の係止手段は、前記係止孔を係止する断面三角形状の突起を、溝の内側に突設することによって、該突起がダミー本体の係止孔に係合するように構成されていることを特徴とする請求項１、２、３の何れかに記載の自動販売機用ダミー。
【請求項５】
支持体の溝は、開口より奥が狭く形成されることによって、差し込まれたダミー本体の縁を挟み込んで係止する係止手段が構成されていることを特徴とする請求項１、２、３の何れかに記載の自動販売機用ダミー。
【請求項６】
支持体の下面に形成された係止構造は、ステージの開口部の厚みと略等しい溝を備えていることを特徴とする請求項１乃至５の何れかに記載の自動販売機用ダミー。
【請求項７】
支持体の下面に形成された溝は、ステージの上面と当接する上側面と、ステージの下面を挟み込む下側面とを備え、
前記下側面は、溝の入口が奥より狭くなるように僅かに傾斜させて形成されていることを特徴とする請求項６に記載の自動販売機用ダミー。
【発明の詳細な説明】
【技術分野】
【０００１】
本発明は、清涼飲料、コーヒーなどの自動販売機に用いられる見本の缶やボトル（以下、自動販売機用ダミーと称する）に関する。
【背景技術】
【０００２】
従来、清涼飲料、コーヒー等の自動販売機には、実物の缶やボトルと同様の形状のプラスチック製などのダミーを展示ステージに取付け、後方又は下方、或いは正面前方又は正面上方から照明装置からの光をダミーに導入して該ダミーの照明を行っているのが通常である。
【０００３】
上記ダミーは、プラスチック製などの円筒形状に形成されたダミーを、自動販売機のステージ（ダミー取り付け台）に差し込んで固定するように構成されているものがある。
前記ダミーの表面には、商品と同じような図柄がプリントされており、このダミーの下部をステージの孔に差し込むように構成されている。
ダミーの下部には、ステージの孔に確実に係止されるとともに、交換するときの差し替え作業が容易に行えるように、係止構造が形成されている。
【０００４】
ダミーの下部に形成された係止構造は、ステージの孔の構造に応じて凹凸構造が形成されており、その凹凸構造がステージの孔の縁と係合することによって、ダミーがステージに確実に固定されるように構成されている。また、半円筒状のダミー本体と下部の係止構造を一体成形するために、前記凹凸構造もダミー本体と同じように薄いプラスチクで構成されている。
【発明の開示】
【発明が解決しようとする課題】
【０００５】
しかしながら、上記のように構成されたダミーにおいては、ダミー本体を差し替えするために抜き差しするときに、係止構造が破損しやすいという問題がある。また、ステージに対して、薄いプラスチック製のダミー本体を直接係止するため、ぐらつきやすく不安定であるという問題があった。
【０００６】
本発明は、上記問題点を解決するためになされたものであり、ダミー本体を自動販売機のステージに確実に固定できるとともに、抜き差しが容易な構造を提供することを目的とする。
【課題を解決するための手段】
【０００７】
上記目的を達成するために、請求項１の発明は、商品名等の図が表示された弾性フィルム製のダミー本体と、該ダミー本体を支持して自動販売機に取り付ける支持体とからなる自動販売機用ダミーであって、前記支持体の上面には、前記ダミー本体の縁を差し込む溝と、差し込まれたダミー本体の縁を係止する係止手段とを備え、前記支持体の下面には、自動販売機のステージに固定するために係止構造が形成されていることを特徴としている。
【０００８】
請求項２の発明は、ダミー本体の要部は、ほぼ半円柱状に形成され、支持体は、ほぼ半円状のプレートとを備え、前記プレートの上面にはダミー本体の下縁を差し込むための溝が形成されていることを特徴としている。
【０００９】
請求項３の発明は、ダミー本体の要部は、ほぼ半円柱状に変形可能なシートで形成され、支持体は、ほぼ半円状のプレートと、該プレートの角部に立設された２本の縦部材とを備え、前記縦部材の前面にはダミー本体の側縁を差し込むための溝が形成されていることを特徴としている。
【００１０】
請求項４の発明は、ダミー本体の縁には、係止孔が形成され、支持体の溝は、ダミー本体の前記縁を内側から支える内側凸条と、ダミー本体の縁を外側から支える外側凸条とを備え、支持体の係止手段は、前記係止孔を係止する断面三角形状の突起を、溝の内側に突設することによって、該突起がダミー本体の係止孔に係合するように構成されていることを特徴としている。
【００１１】
請求項５の発明は、支持体の溝は、開口より奥が狭く形成されることによって、差し込まれたダミー本体の縁を挟み込んで係止する係止手段が構成されていることを特徴としている。
【００１２】
請求項６の発明は、支持体の下面に形成された係止構造は、ステージの開口部の厚みと略等しい溝を備えていることを特徴としている。
【００１３】
請求項７の発明は、支持体の下面に形成された溝は、ステージの上面と当接する上側面と、ステージの下面を挟み込む下側面とを備え、前記下側面は、溝の入口が奥より狭くなるように僅かに傾斜させて形成されていることを特徴としている。
【発明の効果】
【００１４】
以上のように、本発明によれば、自動販売機のステージに対して、係止構造によってプレートを係止し、前記プレートの溝にダミー本体の縁を差し込んでダミー本体とプレートを係止するので、ダミー本体とプレートからなる本発明に係る自動販売機用ダミーを、自動販売機のステージに係止・取り付けすることができるのである。
そして、ダミー本体を交換するときには、ステージに係止されたプレートから取り外し、新しいダミー本体を前記プレートに係止・取り付けすればよいので、プレートまで取り外す必要が無く、作業性が改善されるという効果が得られる。
【発明を実施するための最良の形態】
【００１５】
以下に、本発明にかかる自動販売機用ダミーについて、その実施の形態を示した図面に基づいて詳細に説明する。
図１は本発明の自動販売機用ダミーのひとつの実施形態を示す一部省略分解斜視図、図２はその組立状態の一部省略斜視図である。
これらの図に示すように、本発明の自動販売機用ダミー１は、略半円筒状のダミー本体２と、ダミー本体２の下部を固定するためのプレート３とから構成されている。そして、前記プレート３は、自動販売機のステージ４に形成された取り付け孔４１に係止されるように構成されている。
【００１６】
前記プレート３の上面には、前記ダミー本体２の下縁を差し込む溝３１と、差し込まれたダミー本体２の下縁を係止する係止手段３２とを備えている。
前記ダミー本体２の下縁には、例えば３個所に係止孔２１、２１、２１が形成されている。一方、プレート３に形成された溝３１は、差し込まれたダミー本体２の下縁を内側から支える内側凸条３１１と、ダミー本体２の下縁を外側から支える外側凸条３１２とを備え、差し込まれたダミー本体２がぐらつかないようにしている。
【００１７】
要部の拡大図を示した図２に示したように、
プレート３に形成された係止手段３２としては、前記内側凸条３１１から溝３１の内側に向けて断面三角形状の突起３２１が突設されており、この突起３２１の先端が、前記係止孔２１、２１、２１に進入することによって、ダミー本体２とプレート３とが容易には抜けないように構成されている。
特に、前記突起３２１は断面三角形状に形成されているので、ダミー本体２の下縁を溝３１に差し込む時には、三角形状の傾斜面に沿って容易に差し込むことができる。
前記突起３２１に対応した外側凸条３１２の部分には、切欠き部分３２２が形成されており、前記突起３２１によって外側へ弾性変形されたダミー本体２の逃げ空間が形成されている。
また、内側凸条３１１の高さは、外側凸条３１２より高く形成して、ダミー本体２の下縁の挿入を容易にしてもよい。
【００１８】
また、切欠き部分の正面拡大図を示した図３のように、突起３２１の幅は、切欠き部分３２２の幅より狭く形成され、ダミー本体２の着脱を容易にしている。
また、図４の（ａ）に示したように、前記プレート３の下面には、自動販売機のステージ４に固定するために係止構造３３が形成されている。
前記係止構造３３は、ステージの開口部の厚みと略等しい幅の溝３３１を備えている。この溝３３１の上側面３３２はステージの上面と当接し、前記溝３３１の下側面３３３はステージの下面と当接し、ステージの開口部の縁を前記上側面３３２と下側面３３３とで挟み込むことによって、ステージに対してプレート３を固定するように構成されている。以上の構成によって係止構造３３が形成されている。
【００１９】
図５を参照して、さらに詳述するならば、図５の（ａ）に示したように、前記溝３３１の開口側の幅Ｗ１は奥の幅Ｗ２より若干狭い幅とされ、挟み込んだステージを確実に保持するように構成されている。
そのために、図５の（ｂ）に示したように、下側面３３３は、溝３３１の奥から開口側へ向かって上がるように傾斜させて、挟み込んだステージを確実に保持するように構成してもよい。
また、図５の（ｃ）に示したように、上側面３３２は、溝３３１の奥から開口側へ向かって下がるように傾斜させて、上側面３３２が、挟み込んだステージの上面に対して確実に当接するように構成してもよい。この場合には、ステージに取り付けるときには、プレート３の中央部分を押し下げて若干たわませながらはめ込むと良い。
このようにして、前記プレート３は、自動販売機のステージ４に形成された取り付け孔４１に係止されるように構成されている。
【００２０】
なお、図４の（ａ）はプレート３の両端の係止手段３２、３２を通る直径に沿った切断面を示したが、係止手段３２を通らない半径に沿った切断面を図４の（ｂ）に示した。図４の（ｂ）においては、プレート３の上面の係止手段３２も、プレート３の下面の係止構造３３も表れていない。
図６は、前記プレート３の底面図である。プレート３の３３底面には係止構造３３が３個所形成されている。また、位置決め用の突起３４が形成されている場合もある。
【００２１】
以上のように、ステージ４に対してプレート３を確実に取り付けることができ、前記プレート３にはダミー本体２を差し込んで固定することができるのである。ダミー本体２を交換する場合には、ダミー本体２をプレート３から引き抜いて、新たなダミー本体を差し込むだけで良い。
従って、従来のように、ダミーがステージ上でぐらついて不安定になったり、取り付け、交換が面倒であるという問題が無くなるのである。
【００２２】
以上、本発明の自動販売機用ダミーの一実施の形態について詳細に述べたが、本発明のダミーは、上記実施の形態に限定されるものではなく、特許請求の記載の範囲内において種々に変更可能であって、プレート３に設けた溝の形状や深さは適宜変更することもでき、突起の数や形状も図示したものに限定されるものではない。また、ダミー本体１に設けた係止孔の数や形状、位置も適宜変更できることはいうまでもない。
さらに、プレート３の下面に形成した係止構造は、ステージの形状に応じて適宜変更することができる。
【００２３】
以上においては、係止手段としては、溝の内側に突設した断面三角形状の突起によって、ダミー本体の係止孔を係止するように構成したが、前記溝を、開口より奥が狭く形成されることによって、差し込まれたダミー本体の縁を挟み込んで係止するように構成してもよい。
【００２４】
例えば、図７に示した他の実施形態の自動販売機用ダミー５は支持体６とダミー本体７とから構成されている。
図示したように、ダミー本体７は、ほぼ半円柱状に変形可能なプラスチックシートで形成され、支持体６は、ほぼ半円状の上下２枚のプレート６１’、６１と、これらのプレート６１’、６１の角部に立設された２本の縦部材６２、６２とを備えている。
前記縦部材６２の前面にはダミー本体７の側縁を差し込むための溝６３が形成されている。この溝６３の両側には外側凸条６３１と内側凸条６３２とが形成されている。
【００２５】
図８の（ａ）には、前記溝６３の近傍の拡大平面断面を示した。この図８の（ａ）に示したように、前記縦部材６２の前面には、破線で示したダミー本体７の側縁を差し込むための溝６３と、その両側の外側凸条６３１及び内側凸条６３２とが形成されている。
そして、前記溝６３は、開口より奥が狭く形成されている。開口の幅はダミー本体の側縁の厚みより若干広く形成されており、奥になるほど徐々に狭く形成され、奥の幅はダミー本体の側縁の厚みより若干狭く形成されている。
このように、溝の奥を狭くすることによって、差し込まれたダミー本体の縁を挟み込んで係止するように構成した。
【００２６】
また、前記外側凸条６３１の高さより内側凸条６３２の高さを若干高くすることによって、破線で示したダミー本体７の側縁を差し込み易く構成した。
また、前記外側凸条６３１と内側凸条６３２の角を滑らかに成形することによって、破線で示したダミー本体７の側縁を更に差し込み易く構成した。
【００２７】
図８の（ｂ）には、別の実施形態の前記溝６４の近傍の拡大平面断面を示した。この図８の（ｂ）に示したように、破線で示したダミー本体７’の側縁を差し込むための溝６４が設けられている。そして、前記溝の内側凸条６４２には、図１、図４（ａ）の突起３２１と同様の突起が６４３が形成され、前記溝の外側凸条６４１には、図１、図４（ａ）の切欠き３２２と同様の切欠き６４４が形成されている。そして、ダミー本体７’の側縁には、図１、図４（ａ）のダミー本体２に形成された孔２１と同様の孔（図示せず。）が形成されている。
前記突起６４３が前記孔（図示せず。）に係合して、ダミー本体７’を支持体６に係止するように構成されているのである。
この場合も、前記外側凸条６４１の高さより内側凸条６４２の高さを若干高くするとともに、前記外側凸条６４１と内側凸条６４２の角を滑らかに成形することによって、破線で示したダミー本体７’の側縁を差し込み易く構成した。
【００２８】
図９の（ａ）に示したように、前記支持体６の底面のプレート６１の半円周部の縁には、凸条６１１が壁状に形成されている。この凸条６１１の内側面に、破線で示したダミー本体７の下縁が当接した状態で保持される。特に、前記ダミー本体７は弾性変形によって半円筒状に曲げられているので、その弾性復元力によって、ダミー本体７の下縁は、凸状６１１の内側面に確実に当接した状態で保持される。
前記上側のプレート６１’の下面にも、ダミー本体７の上縁を支持するための凸条６１１’が前記凸状６１１と同様に形成されている。
【００２９】
また、図９の（ｂ）に示したように、前記支持体６の底面のプレート６１の半円周部の縁には、外側凸条６５１と内側凸条６５２とによって溝６５３が形成されている。
そして、前記溝６５３は、開口より奥が狭く形成されている。開口の幅はダミー本体の側縁の厚みより若干広く形成されており、奥になるほど徐々に狭く形成され、奥の幅はダミー本体の側縁の厚みより若干狭く形成されている。
このように、溝の奥を狭くすることによって、差し込まれたダミー本体の縁を挟み込んで係止するように構成した。
【００３０】
なお、図７においては、缶状の自動販売機用ダミーの場合を示したが、瓶状の自動販売機用ダミーの場合は、図１０のように、ダミー本体７Ａは、ほぼ半割の瓶状にプラスチックで形成され、支持体６Ａの前面にはダミー本体の側縁を差し込むための溝が形成されている。この溝の両側には外側凸条と内側凸条とが形成されている。
また、ダミー本体を支持体に装着する方法としては、図１１に示したように、瓶のキャップ状の挿入凹部を支持体６Ｂ側に形成し、前記挿入凹部にダミー本体７Ｂの上部の挿入凸部を差し込んで固定するようにしてもよい。図１１の（ａ）は説明のための側面図、（ｂ）は説明のための側面断面図である。
また、ダミー本体を支持体に装着する方法としては、図１２に示したように、瓶のキャップ状の係止部をダミー本体７Ｃ側に形成し、前記係止部の上端に形成した係止突起を、支持体６Ｃ側の上部に形成した被係止凹部に差し込んで固定するようにしてもよい。図１２の（ａ）は説明のための斜視図、（ｂ）は説明のための側面断面図である。なお、図１２の（ｂ）に示したように、支持体の溝の内側には係止突起を設け、ダミー本体の縁には被係止孔を設けるとよい。
また、ダミー本体を支持体に装着する方法としては、図１３に示したように、支持体６Ｄの上部に横スリットを形成し、ダミー本体７Ｄの下面（底面）は中央部分が若干盛り上がった非平面形状に成形し、前記非平面形状の下面を前記横スリットに差し込むことによって固定するようにしてもよい。そして、前記支持体の下部に設けた横スリットに、ステージ４Ｄの取り付け孔の内縁を差し込んで、支持体とステージとを固定してもよい。
【図面の簡単な説明】
【００３１】
【図１】本発明の自動販売機用ダミーの分解斜視図である。
【図２】前記自動販売機用ダミーの斜視図とステージの斜視図である。
【図３】プレートの要部を示す一部拡大正面図である。
【図４】プレートの拡大断面図である。
【図５】プレートの下面の構造を説明する一部拡大断面図である。
【図６】プレートの底面図である。
【図７】別の実施形態の自動販売機用ダミーの分解斜視図である。
【図８】支持体の要部を示す一部拡大平面断面図である。
【図９】支持体の要部を示す一部拡大側面断面図である。
【図１０】本発明の別形態の説明図である。
【図１１】本発明の別形態の説明図である。
【図１２】本発明の別形態の説明図である。
【図１３】本発明の別形態の説明図である。
【符号の説明】
【００３２】
１  自動販売機用ダミー
２  ダミー本体
２１    係止孔
３      プレート
３１    溝
３１１  内側凸条
３１２  外側凸条
３２    係止手段
３２１  突起
３２２  切欠き部分
３３    係止構造
３３１  溝
３３２  溝の上側面
３３３  溝の下側面
４      ステージ
４１    取り付け孔
５      自動販売機用ダミー
６      支持体
６１    プレート
６２    縦部材
６３    溝
６４    溝
６５    プレート
６５３  溝
７      ダミー本体
７’    ダミー本体
【図１】
2006309520.tif 000003
【図２】
2006309520.tif 000004
【図３】
2006309520.tif 000005
【図４】
2006309520.tif 000006
【図５】
2006309520.tif 000007
【図６】
2006309520.tif 000008
【図７】
2006309520.tif 000009
【図８】
2006309520.tif 000010
【図９】
2006309520.tif 000011
【図１０】
2006309520.tif 000012
【図１１】
2006309520.tif 000013
【図１２】
2006309520.tif 000014
【図１３】
2006309520.tif 000015